(57)【特許請求の範囲】
【請求項１】
遊技者が操作可能な第１操作部と第２操作部とを並べて備える遊技機において、
前記第１操作部と、前記第１操作部が操作されたことを検出するための第１検出部と、を一体に備えた第１操作ユニットと、
前記第２操作部と、前記第２操作部が操作されたことを検出するための第２検出部と、を一体に備えた第２操作ユニットと、
前記第１操作ユニット及び前記第２操作ユニットの一部を収容する収容凹部を備えたベース部材と、
前記第１操作ユニットを受容すると共に前記第１操作部を露出させる第１受容孔と、前記第２操作ユニットを受容すると共に前記第２操作部を露出させる第２受容孔とを有するカバー部材と、を備え、
前記ベース部材は、前記カバー部材の裏側に配置されて前記カバー部材が固定されると共に、前記収容凹部は前記カバー部材側に開口し、
前記第１操作ユニットと前記カバー部材とを固定する固定手段を備え、
前記第２操作ユニットは、前記ベース部材と前記カバー部材とに挟み付けられ、前記第２操作ユニットを前記ベース部材に固定するための突出部を備えることを特徴とする遊技機。
【請求項２】
前記収容凹部が上側に開口すると共に、前記カバー部材は前記ベース部材の上面に重ねて固定されたことを特徴とする請求項１に記載の遊技機。
【請求項３】
前記第２操作ユニットは、前記第２検出部を内蔵するボックス状をなして、前記カバー部材の前記第２受容孔から露出する表側面に前記第２操作部を備えてなり、
前記第２操作ユニットの外周部に段差部を形成すると共に、その段差部より外側部分を前記突出部として、前記カバー部材の表側面と前記第２操作ユニットの表側面とを面一に配置したことを特徴とする請求項１又は２に記載の遊技機。
【請求項４】
前記突出部は、前記第２操作ユニットのうち表側面より奥まった位置から側方に張り出して前記段差部を形成する側方張出片であって、
前記側方張出片は、前記収容凹部の開口縁と前記第２受容孔の開口縁との間に挟み付けられていることを特徴とする請求項３に記載の遊技機。
【請求項５】
前記カバー部材の裏面に宛がわれると共に前記第１操作ユニットのうち前記カバー部材の裏側に配置される部分を受容する受容ケースを備えると共に、前記第１操作ユニットに、前記第１操作ユニットの外周部から側方に張り出したフランジ部を形成し、
前記フランジ部と前記受容ケースの開口端との間に前記カバー部材のうち前記第１受容孔の開口縁が挟み付けられた状態で前記受容ケースが前記第１操作ユニットに固定されていることを特徴とする請求項１乃至４のうち何れか１の請求項に記載の遊技機。
【請求項６】
前記収容凹部には、前記第１操作ユニットを収容可能な第１収容凹部と、前記第２操作ユニットを収容可能な第２収容凹部とが設けられ、
前記第２操作ユニットは、前記第２収容凹部の内周面に嵌合されることを特徴とする請求項１乃至５のうち何れか１の請求項に記載の遊技機。
【請求項７】
前記収容凹部には、前記受容ケースと共に前記第１操作ユニットを収容可能な第１収容凹部と、前記第２操作ユニットを収容可能な第２収容凹部とが設けられ、
前記第２操作ユニットは、前記第２収容凹部の内周面に嵌合されることを特徴とする請求項５に記載の遊技機。
【請求項８】
前記第２操作ユニットのうち前記第２収容凹部に収容される部分の断面形状を非円形にしたことを特徴とする請求項６又は７に記載の遊技機。
【請求項９】
遊技の演出が行われる際に操作される演出操作部を前記第１操作部として備える前記第１操作ユニットとしての演出操作ユニットと、
遊技者が遊技球の貸出を要求する際に操作される貸出操作部を前記第２操作部として備える前記第２操作ユニットとしての貸出操作ユニットと、
前記貸出操作部の操作により貸し出された遊技球を貯留可能であって、前記演出操作部及び前記貸出操作部を上部に有する球受け皿部とを備え、
前記球受け皿部を、遊技球を貯留可能な皿本体部の上面に上面プレートを重ねて固定した構造とし、前記皿本体部を前記ベース部材とすると共に、前記上面プレートを前記カバー部材としたことを特徴とする請求項１乃至８のうち何れか１の請求項に記載の遊技機。
【発明の詳細な説明】
【技術分野】
【０００１】
本発明は、遊技者が操作可能な操作部を備えた遊技機に関する。
【背景技術】
【０００２】
従来、この種の遊技機として、遊技球を貯留可能な球受け皿部の上面に、遊技者が遊技球の貸出を要求する際に操作される貸出ボタンを備えたものが知られている（例えば、特許文献１参照）。また、球受け皿部の上面に、貸出ボタンと、遊技の演出が行われる際に遊技者が操作可能な演出操作ボタンとを並べて備える操作パネル部が形成された遊技機も知られている。
【先行技術文献】
【特許文献】
【０００３】
【特許文献１】特開２０１２−１７６２０４号公報（段落［００４９］、［００５４］、図７、図８）
【発明の概要】
【発明が解決しようとする課題】
【０００４】
ところで、上述した操作パネル部を備えた従来の遊技機では、貸出ボタンを上部に備える貸出操作ユニットと、演出操作ボタンを上部に備える演出操作ユニットとを、それぞれ球受け皿部の本体部分にねじ止めし、さらに球受け皿部の上面となるカバープレートを球受け皿部の本体部分にねじ止めすることで、操作パネル部を形成していた。このため、操作部の組み付けに手間がかかるという問題があった。
【０００５】
本発明は、上記事情に鑑みてなされたもので、操作部の組み付けを従来よりも容易にすることが可能な遊技機の提供を目的とする。
【課題を解決するための手段】
【０００６】
上記目的を達成するためになされた請求項１の発明に係る遊技機は、遊技者が操作可能な第１操作部と第２操作部とを並べて備える遊技機において、第１操作部と、第１操作部が操作されたことを検出するための第１検出部と、を一体に備えた第１操作ユニットと、第２操作部と、第２操作部が操作されたことを検出するための第２検出部と、を一体に備えた第２操作ユニットと、第１操作ユニット及び第２操作ユニットの一部を収容する収容凹部を備えたベース部材と、第１操作ユニットを受容すると共に第１操作部を露出させる第１受容孔と、第２操作ユニットを受容すると共に第２操作部を露出させる第２受容孔とを有するカバー部材と、を備え、ベース部材は、カバー部材の裏側に配置されてカバー部材が固定されると共に、収容凹部はカバー部材側に開口し、第１操作ユニットとカバー部材とを固定する固定手段を備え、第２操作ユニットは、ベース部材とカバー部材とに挟み付けられ、第２操作ユニットをベース部材に固定するための突出部を備えるところに特徴を有する。
【０００７】
請求項２の発明は、請求項１に記載の遊技機において、収容凹部が上側に開口すると共に、カバー部材はベース部材の上面に重ねて固定されたところに特徴を有する。
【０００８】
請求項３の発明は、請求項１又は２に記載の遊技機において、第２操作ユニットは、第２検出部を内蔵するボックス状をなして、カバー部材の第２受容孔から露出する表側面に第２操作部を備えてなり、第２操作ユニットの外周部に段差部を形成すると共に、その段差部より外側部分を突出部として、カバー部材の表側面と第２操作ユニットの表側面とを面一に配置したところに特徴を有する。
【０００９】
請求項４の発明は、請求項３に記載の遊技機において、突出部は、第２操作ユニットのうち表側面より奥まった位置から側方に張り出して段差部を形成する側方張出片であって、側方張出片は、収容凹部の開口縁と第２受容孔の開口縁との間に挟み付けられているところに特徴を有する。
【００１０】
請求項５の発明は、請求項１乃至４のうち何れか１の請求項に記載の遊技機において、カバー部材の裏面に宛がわれると共に第１操作ユニットのうちカバー部材の裏側に配置される部分を受容する受容ケースを備えると共に、第１操作ユニットに、第１操作ユニットの外周部から側方に張り出したフランジ部を形成し、フランジ部と受容ケースの開口端との間にカバー部材のうち第１受容孔の開口縁が挟み付けられた状態で受容ケースが第１操作ユニットに固定されているところに特徴を有する。
【００１１】
請求項６の発明は、請求項１乃至５のうち何れか１の請求項に記載の遊技機において、収容凹部には、第１操作ユニットを収容可能な第１収容凹部と、第２操作ユニットを収容可能な第２収容凹部とが設けられ、第２操作ユニットは、第２収容凹部の内周面に嵌合されるところに特徴を有する。
【００１２】
請求項７の発明は、請求項５に記載の遊技機において、収容凹部には、受容ケースと共に第１操作ユニットを収容可能な第１収容凹部と、第２操作ユニットを収容可能な第２収容凹部とが設けられ、第２操作ユニットは、第２収容凹部の内周面に嵌合されるところに特徴を有する。
【００１３】
請求項８の発明は、請求項６又は７に記載の遊技機において、第２操作ユニットのうち第２収容凹部に収容される部分の断面形状を非円形にしたところに特徴を有する。
【００１４】
請求項９の発明は、請求項１乃至８のうち何れか１の請求項に記載の遊技機において、遊技の演出が行われる際に操作される演出操作部を第１操作部として備える第１操作ユニットとしての演出操作ユニットと、遊技者が遊技球の貸出を要求する際に操作される貸出操作部を第２操作部として備える第２操作ユニットとしての貸出操作ユニットと、貸出操作部の操作により貸し出された遊技球を貯留可能であって、演出操作部及び貸出操作部を上部に有する球受け皿部とを備え、球受け皿部を、遊技球を貯留可能な皿本体部の上面に上面プレートを重ねて固定した構造とし、皿本体部をベース部材とすると共に、上面プレートをカバー部材としたところに特徴を有する。
【発明の効果】
【００１５】
［請求項１，２，９の発明］
請求項１の遊技機では、第１操作ユニットと固定されたカバー部材をベース部材に固定することで第１操作ユニットがベース部材に固定され、第２操作ユニットの突出部をカバー部材とベース部材との間に挟み付けることで第２操作ユニットがベース部材に固定されている。この構成によれば、第１及び第２の操作ユニットの固定を、ベース部材に第２操作ユニットを収容した状態で、第１操作ユニットと固定されたカバー部材をベース部材に宛がって固定することにより行うことが可能となる。つまり、ベース部材にカバー部材を固定する際に、第２操作ユニットも共に固定することができ、操作部構成部の組み付けを従来よりも容易にすることが可能となる。
【００１６】
また、操作部構成部は、前方を向いていたり側方を向いていてもよいが、請求項２の遊技機のように収容凹部を上側に開口させて、上方を向いた構成としてもよい。
【００１７】
ここで、操作頻度が比較的高い方を第１操作部、比較的低いほうを第２操作部とすると、操作頻度が比較的高い第１操作部がより強固に固定されることとなり、第１操作部の操作の安定性を確保することが可能となる。例えば、請求項９の遊技機では、演出時に操作される演出操作部と遊技球の貸出を要求する際に操作される貸出操作部とのうち操作頻度の比較的高い演出操作部を第１操作部としたので、演出操作部の操作の安定性を確保することが可能となる。なお、請求項９では、遊技を実行する上でより重要性が高い貸出操作ユニットを第１操作ユニットよりも着脱容易な第２操作ユニットとしたので、貸出操作部の故障時に容易に貸出操作ユニットを交換することが可能となる。
【００１８】
［請求項３の発明］
請求項３の遊技機では、カバー部材の表側面と第２操作ユニットの表側面とを面一として、外観不良の抑制を図ることが可能となる。
【００１９】
［請求項４の発明］
請求項４の遊技機では、突出部を側方に張り出した側方張出片としたため、突出部を薄くすることが可能となる。
【００２０】
［請求項５の発明］
請求項５の遊技機では、受容ケースにより第１操作ユニットを保護すると共にカバー部材を固定することが可能となる。
【００２１】
［請求項６，７の発明］
請求項６，７の遊技機では、第２操作ユニットが第２収容凹部の内周面に嵌合されるため、第２操作ユニットの取付けの際に第２操作ユニットの位置決めを容易にすることが可能となる。
【００２２】
［請求項８の発明］
また、請求項８の構成によれば、第２操作ユニット及び第２収容凹部を非円形とすることで、第２操作ユニットが第２収容凹部内で回転することを規制することが可能となる。
【図面の簡単な説明】
【００２３】
【図１】本発明の一実施形態に係る遊技機の正面図
【図２】遊技機の斜視図
【図３】球受け皿部の斜視図
【図４】（Ａ）演出操作ユニットの正面側斜視図、（Ｂ）十字ボタンユニットの斜視図
【図５】（Ａ）貸出操作ユニットの平面側斜視図、（Ｂ）貸出操作ユニットの底面側斜視図
【図６】ユニット複合体の平面側分解斜視図
【図７】ユニット複合体の底面側分解斜視図
【図８】球受け皿部における皿本体部の斜視図
【図９】ユニット複合体、貸出操作ユニット及びの皿本体部の斜視図
【図１０】ユニット複合体の断面図
【図１１】貸出操作ユニット周辺の断面図
【図１２】変形例における貸出操作ユニット周辺の断面図
【図１３】変形例における貸出操作ユニット周辺の断面図
【発明を実施するための形態】
【００２４】
［第１実施形態］
以下、本発明を適用したパチンコ遊技機１０に係る第１実施形態を、図１〜図１１に基づいて説明する。図１に示すように、本実施形態のパチンコ遊技機１０（以下、「遊技機１０」という。）は、前面が前面枠１０Ｚにて覆われており、その前面枠１０Ｚに形成されたガラス窓１０Ｗを通して遊技板１１の遊技領域Ｒ１が視認可能になっている。
【００２５】
前面枠１０Ｚのうちガラス窓１０Ｗより下方には、遊技球を貯留可能な上皿２６及び下皿２７が上下に並べて設けられ、下皿２７の右側には操作ハンドル２８が設けられている。そして、操作ハンドル２８を回動操作すると、上皿２６に貯留された遊技球が遊技領域Ｒ１に向けて弾き出される。
【００２６】
遊技領域Ｒ１には、図示しない始動入賞口と大入賞口が備えられ、始動入賞口に遊技球が入球すると当否判定が行われる。当否判定の結果は、遊技領域Ｒ１に設けられた表示部（図示せず）にて、その結果に基づいた演出と共に表示される。大入賞口は、通常は、可動扉等で閉塞されて遊技球が入球困難な状態になっていて、上記当否判定の結果が当りとなったときに開放されて遊技球が入球可能な状態となる。また、各種入賞口に遊技球が入球すると、賞球が上皿２６に払い出される。
【００２７】
図２に示すように、上皿２６及び下皿２７は、前面枠１０Ｚのうちガラス窓１０Ｗの下方から前方に突出した球受け皿部１３に配設されている。詳細には、下皿２７は、球受け皿部１３の下部全体を占め、上皿２６は、球受け皿部１３の上部の後側に配置されている。また、球受け皿部１３の上部における上皿２６の右側（即ち、操作ハンドル２８側）には、球排出ボタン３３が備えられていて、この球排出ボタン３３が操作されると、上皿２６に収容されている遊技球が下皿２７へと移動するようになっている。
【００２８】
また、球受け皿部１３の上部における上皿２６の前側には、十字ボタン３１、本発明の「第１操作部」及び「演出操作部」に相当する演出操作ボタン３２、本発明の「第２操作部」及び「貸出操作部」に相当する貸出操作ボタン３４、球貸用カードの返却ボタン３５を並べて備える操作パネル部３０Ｓが形成されている。
【００２９】
演出操作ボタン３２及び十字ボタン３１は、遊技の進行に応じて実行される演出に使用される。その使用例としては、例えば、（ａ）実行する演出を複数種類の演出群の中から十字ボタン３１で選択させて演出操作ボタン３２で決定させることや、（ｂ）（ａ）の例と同様にして、遊技中のＢＧＭを複数種類の楽曲の中から選択、決定させること等が挙げられる。
【００３０】
貸出操作ボタン３４は、遊技者が遊技球の貸出を要求するためのボタンで、貸出操作ボタン３４が操作されると、予め設定された数の遊技球が貸し出され、上皿２６に貯留される。また、返却ボタン３５が操作されると、球貸用カードが返却される。なお、球貸用カードは、パチンコホール内で遊技球を借りるためのカードであって、例えば、遊技機１０の左側に設置される球貸用サンドのカード挿入口に挿入されると、球貸用カードに記録されている残高分の遊技球を借りることが可能となる。また、球貸用カードは、返却ボタン３５が操作されると、球貸用サンドの返却口から返却される。
【００３１】
図４（Ａ）に示すように、演出操作ボタン３２は、演出操作ユニット４０（本発明の「第１操作ユニット」に相当する）の一部を構成している。具体的には、演出操作ユニット４０は、上方に開放した円筒ケース４０Ａに、円形ドーム状の演出操作ボタン３２の下端部を受容した構造になっていて、演出操作ボタン３２は、円筒ケース４０Ａに対して上下動可能となっている。円筒ケース４０Ａの内部には、演出操作ボタン３２を上方に付勢する付勢バネ（図示せず）と、その付勢バネの付勢力に抗して演出操作ボタン３２が下方へ移動した（押圧された）ことを検出するセンサ４０Ｓ（本発明の「第１検出部」に相当する）が収容されている。また、円筒ケース４０Ａの上端縁からは、周方向全体に亘ってフランジ部４０Ｈが側方に張り出している。
【００３２】
図７に示すように、円筒ケース４０Ａの下面は、水平方向と略平行に配置される平坦部４０Ｆと、平坦部４０Ｆから離れるにつれて上方に傾斜する傾斜部４０Ｋとで構成されている。平坦部４０Ｆには、位置決め突部４０Ｎが３つ設けられている。
【００３３】
図４（Ｂ）に示すように、十字ボタン３１は、十字ボタンユニット４２の一部を構成している。十字ボタンユニット４２は、全体が円柱状をなす円形ボックス４２Ａの上面に十字ボタン３１を備えてなる。円形ボックス４２Ａは、上述した演出操作ユニット４０の円筒ケース４０Ａと同様に、十字ボタン３１の上下左右各部の押圧操作を検出するためのセンサ（図示せず）を内蔵している。また、円形ボックス４２Ａの上端部からは、周方向全体に亘ってフランジ部４２Ｈが側方に張り出している。さらに、円形ボックス４２Ａの下面には、位置決め突部４２Ｎが２つ形成されている（図７参照）。なお、２つの位置決め突部４２Ｎは、円形ボックス４２Ａの下面の片側に偏在している。
【００３４】
図５（Ａ）に示すように、貸出操作ボタン３４及び返却ボタン３５は、貸出操作ユニット４３（本発明の「第２操作ユニット」に相当する）の一部を構成している。同図に示すように、貸出操作ユニット４３は、断面異形のボックス状をなすボックスケース４３Ａの上面４３Ｕから貸出操作ボタン３４及び返却ボタン３５が突出した構造になっていて、そのボックスケース４３Ａには、貸出操作ボタン３４及び返却ボタン３５の押圧操作を検出するためのセンサ４３Ｓ，４３Ｓ（本発明の「第２検出部」に相当する）が内蔵されている。具体的には、貸出操作ユニット４３の断面形状は、長方形の下辺部が右上がりに傾斜し、左辺部が側方へ突出した形状をなし、上下、左右がともに非対称となっている。なお、遊技者の誤認を抑制すべく、貸出操作ボタン３４と返却ボタン３５とは、異なる形状（例えば、貸出操作ボタン３４が円形で返却ボタン３５が四角形）になっている。
【００３５】
また、貸出操作ユニット４３（ボックスケース４３Ａ）の外周部からは、周方向全体に亘って、本発明の「突出部」に相当する側方張出片４３Ｈが突出している。詳細には、側方張出片４３Ｈは、ボックスケース４３Ａの上端より若干下方位置に配置されている。そして、側方張出片４３Ｈの上面がボックスケース４３Ａの上面４３Ｕより下方に配置されることで、貸出操作ユニット４３の外周部に本発明に係る段差部４３Ｄが形成されている。
【００３６】
図９に示すように、本実施形態では、球受け皿部１３が、上皿２６と下皿２７とを段積みしてなる皿本体部１３Ｈ（本発明の「ベース部材」に相当する）と、皿本体部１３Ｈの上面に重ねて固定されるカバープレート３８（本発明の「上面プレート」、「カバー部材」に相当する）とを備えている。皿本体部１３Ｈの上面には、上述した各ユニット４０，４２，４３の下部を収容する第１と第２の収容凹部１３Ａ，１３Ｂが陥没形成されている。また、カバープレート３８には、各ユニット４０，４２，４３の上部を内側に受容する第１〜第３のユニット受容孔３８Ａ〜３８Ｃが貫通形成されている（図６参照）。そして、第１と第２の収容凹部１３Ａ，１３Ｂに各ユニット４０，４２，４３を収容した状態で、皿本体部１３Ｈの上面がカバープレート３８で覆われることで、第１〜第３のユニット受容孔３８Ａ〜３８Ｃから各種ボタン３１，３２，３４，３５が露出し、上記した操作パネル部３０Ｓが形成されている（図３参照）。なお、上皿２６は、皿本体部１３Ｈの後側に寄せて配置され、収容凹部１３Ａ，１３Ｂは、上皿２６の前側に配置されている。
【００３７】
ここで、本実施形態では、演出操作ユニット４０及び十字ボタンユニット４２は、これらユニット４０，４２とカバープレート３８とが固定された状態でそのカバープレート３８が皿本体部１３Ｈに固定されることにより球受け皿部１３に固定される一方、貸出操作ユニット４３は、皿本体部１３Ｈとカバープレート３８との間に挟み付けられることにより球受け皿部１３に固定されている。以下、各ユニット４０，４２，４３の固定構造について詳説する。
【００３８】
まず、演出操作ユニット４０及び十字ボタンユニット４２の固定構造について説明する。図６に示すように、カバープレート３８の左右方向の中央部には、演出操作ユニット４０を受容する第１ユニット受容孔３８Ａが設けられ、その第１ユニット受容孔３８Ａの右側に、十字ボタンユニット４２を受容する第３ユニット受容孔３８Ｃが設けられている。具体的には、第１と第３のユニット受容孔３８Ａ，３８Ｃは、演出操作ユニット４０の円筒ケース４０Ａと十字ボタンユニット４２の円形ボックス４２Ａとにそれぞれ嵌合し、各ユニット４０，４２のフランジ部４０Ｈ，４２Ｈが第１と第３のユニット受容孔３８Ａ，３８Ｃの開口縁に上方から宛がわれる。そして、円筒ケース４０Ａと円形ボックス４２Ａの一部がカバープレート３８の裏側に配置される。なお、第１ユニット受容孔３８Ａの開口縁には、演出操作ユニット４０のフランジ部４０Ｈと嵌合する環状突部３８Ｅが形成されている。
【００３９】
カバープレート３８の裏側からは、円筒ケース４０Ａと円形ボックス４２Ａを受容する受容ケース３９が宛がわれている。受容ケース３９は、共に円形状をなす大径ケース部３９Ｂ及び小径ケース部３９Ｃと、それらケース部３９Ｂ，３９Ｃの開口縁同士を連絡する連絡壁３９Ａと、大径ケース部３９Ｂと小径ケース部３９Ｃの開口縁から外側に突出した複数の突片３９Ｄとで構成され、連絡壁３９Ａと複数の突片３９Ｄとがカバープレート３８の裏面と当接する。なお、大径ケース部３９Ｂ及び小径ケース部３９Ｃの底壁には、各ユニット４０，４２の位置決め突部４０Ｎ，４２Ｎが挿通される位置決め凹部３９Ｅが形成されている（図７参照）。
【００４０】
図９及び図１０に示すように、カバープレート３８は、受容ケース３９の連絡壁３９Ａ及び突片３９Ｄと、各ユニット４０，４２のフランジ部４０Ｈ，４２Ｈとの間に挟み付けられている。そして、この状態で、受容ケース３９が各ユニット４０，４２の下部にねじ（本発明の「固定手段」に相当する）により固定されることで、各ユニット４０，４２とカバープレート３８とが一体に固定されたユニット複合体４１が形成されている。そして、このユニット複合体４１が皿本体部１３Ｈに固定されることで各ユニット４０，４２が皿本体部１３Ｈに固定されている。
【００４１】
次に、貸出操作ユニット４３の固定構造について説明する。図９に示す皿本体部１３Ｈの第２の収容凹部１３Ｂは、貸出操作ユニット４３のうち側方張出片４３Ｈから下側の部分を受容可能となっている。また、第２の収容凹部１３Ｂの開口縁部は側方張出片４３Ｈを受容するように段付き状になっていて（図８参照）、貸出操作ユニット４３の側方張出片４３Ｈを下方から受け止める。
【００４２】
図９に示すように、ユニット複合体４１におけるカバープレート３８の右部には、貸出操作ユニット４３を受容する第２のユニット受容孔３８Ｂが設けられている。この第２のユニット受容孔３８Ｂは貸出操作ユニット４３のうち側方張出片４３Ｈより上側部分と嵌合し、カバープレート３８のうち第２のユニット受容孔３８Ｂの開口縁は、貸出操作ユニット４３の側方張出片４３Ｈに上方から宛がわれる。
【００４３】
そして、貸出操作ユニット４３が第２の収容凹部１３Ｂに受容された状態で、ユニット複合体４１のカバープレート３８が皿本体部１３Ｈに固定されることで、図１１に示すように貸出操作ユニット４３の側方張出片４３Ｈがカバープレート３８と皿本体部１３Ｈとの間に挟み付けられ、貸出操作ユニット４３が皿本体部１３Ｈに固定されている。
【００４４】
次に、各ユニット４０，４２，４３の球受け皿部１３への組み付けについて説明する。各ユニット４０，４２，４３を球受け皿部１３に組み付けるには、まず、演出操作ユニット４０，十字ボタンユニット４２とカバープレート３８とを固定して、ユニット複合体４１を形成する。
【００４５】
具体的には、受容ケース３９の上方にカバープレート３８を重ねてから、演出操作ユニット４０及び十字ボタンユニット４２を、受容ケース３９の各ケース部３９Ｂ，３９Ｃと、カバープレート３８の各ユニット受容孔３８Ａ，３８Ｂとに上方から挿入する。このとき、各ユニット４０，４２の位置決め突部４０Ｎ，４２Ｎ（図７参照）が位置決め凹部３９Ｅに挿通されることで、各ユニット４０，４２が位置決めされる。そして、各ユニット４０，４２と受容ケース３９とがネジで締結されることで、カバープレート３８がユニット４０，４２と受容ケース３９との間に固定され（図１０参照）、ユニット複合体４１が形成される。
【００４６】
ここで、カバープレート３８の前端部には、下方に突出した位置決め突片３８Ｆ（図７参照）が設けられていて、この位置決め突片３８Ｆが受容ケース３９の前端部と当接することにより、カバープレート３８を受容ケース３９に対して容易に位置決めすることが可能となる。また、受容ケース３９のうち大径ケース部３９Ｂの底壁は、円筒ケース４０Ａの下面と対応した形状をなしていて、円筒ケース４０Ａの傾斜部４０Ｋと大径ケース部３９Ｂの傾斜部３９Ｓとを重なるように配置することで、大径ケース部３９Ｂに対する演出操作ユニット４０の向きを予め定めた向きに固定することができる。さらに、上述したように、十字ボタンユニット４２の位置決め突部４２Ｎが断面円の片側に偏在しているので、小径ケース部３９Ｃに対する十字ボタンユニット４２の向きを予め定めた向きに収容することが可能となる。
【００４７】
ユニット複合体４１が形成されると、次いで、球受け皿部１３の第２の収容凹部１３Ｂ（図９参照）に貸出操作ユニット４３を収容する。このとき、第２の収容凹部１３Ｂの開口縁が側方張出片４３Ｈの下面に当接する。ここで、貸出操作ユニット４３は、断面異形となっているので、第２の収容凹部１３Ｂに対する貸出操作ユニット４３の向きを、予め定めた向きに固定することが可能となる。
【００４８】
そして、ユニット複合体４１のうちカバープレート３８より下側部分を第１の収容凹部１３Ａに収容させ、ユニット複合体４１を球受け皿部１３に載置する。この状態で、カバープレート３８を皿本体部１３Ｈにネジ止めすることで、演出操作ユニット４０、十字ボタンユニット４２が球受け皿部１３に固定される。
【００４９】
このとき、カバープレート３８の第２のユニット受容孔３８Ｂが貸出操作ユニット４３の側方張出片４３Ｈより上側部分と嵌合し、カバープレート３８が側方張出片４３Ｈの上面に当接している。つまり、図１１に示すように、貸出操作ユニット４３のうち側方張出片４３Ｈが皿本体部１３Ｈの開口縁とカバープレート３８の開口縁との間に挟み付けられているので、貸出操作ユニット４３が球受け皿部１３に固定される。
【００５０】
なお、ここで、貸出操作ユニット４３における段差部４３Ｄの高さは、カバープレート３８の板厚と同じとなっている。これにより、貸出操作ユニット４３の上面４３Ｕとカバープレート３８の上面とが面一となる（図３及び図１１参照）。
【００５１】
このように、本実施形態の遊技機１０では、演出操作ユニット４０を有するユニット複合体４１のカバープレート３８を皿本体部１３Ｈに固定する際に、貸出操作ユニット４３を共に固定することが可能となり、貸出操作ユニット４３をねじ止めする必要がないので、演出操作ユニット４０と貸出操作ユニット４３とをねじ止めしてからカバープレート３８をねじ止めする従来の構成よりも操作パネル部３０Ｓを容易に組み付けることが可能となる。
【００５２】
また、本実施形態では、貸出操作ボタン３４よりも操作頻度の高い演出操作ボタン３２を備える演出操作ユニット４０をねじ止めにより固定する構成としたので、操作頻度の高い演出操作ボタン３２の操作の安定性を確保することが可能となる。
【００５３】
さらに、遊技球を用いた遊技を行う上でより重要性が高い貸出操作ボタン３４を備える貸出操作ユニット４３を挟み付けて固定する構成、つまり、着脱容易な構成としたので、貸出操作ボタン３４の故障時に貸出操作ユニット４３を容易に交換することが可能となる。
【００５４】
また、本実施形態では、カバープレート３８の上面と貸出操作ユニット４３の上面４３Ｕとが面一となっているので、外観不良の抑制を図ることが可能となる。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）上記実施形態では、本発明の「突出部」を貸出操作ユニット４３のうちボックスケース４３Ａの外周部から突出した側方張出片４３Ｈとする構成であったが、図１２に示すように、外周部が第２のユニット受容孔３８Ｂの開口より大きくなるようにボックスケース４３Ａを形成し、そのボックスケース４３Ａの外周部を本発明の「突出部」とする構成であってもよい。
【００５７】
（２）上記実施形態では、貸出操作ユニット４３におけるボックスケース４３Ａに段差部４３Ｄを備えていたが、図１３に示すようにボックスケース４３Ａの上面を平坦に構成してもよい。この構成であっても、貸出操作ユニット４３のうち第２のユニット受容孔３８Ｂの外側にはみ出した部分がカバープレート３８と皿本体部１３Ｈとの間で挟み付けられて、貸出操作ユニット４３を球受け皿部１３に固定することが可能となる。
【００５８】
（３）上記実施形態では、本発明の「第１操作部」を演出操作ボタン３２とし、「第２操作部」を貸出操作ボタン３４としていたが、これに限られるものではない。例えば、「第１操作部」を演出操作ボタン３２とし、「第２操作部」を十字ボタン３１としてもよい。
【００５９】
なお、上記実施形態において、十字ボタン３１と演出操作ボタン３２とを合わせて「第１操作部」と捉えることも可能である。
【００６０】
（４）上記実施形態では、演出操作ユニット４０をカバープレート３８に固定し、貸出操作ユニット４３をカバープレート３８と皿本体部１３Ｈとの間に挟み付ける構成としていたが、演出操作ユニット４０を.カバープレート３８と皿本体部１３Ｈとの間に挟み付け、貸出操作ユニット４３をカバープレート３８に固定する構成としてもよい。
【００６１】
（５）また、本発明をスロットマシンに適用し、「第１操作部」をベットボタンとし、「第２操作部」をクレジット精算ボタンとする構成であってもよい。
【００６２】
（６）上記実施形態では、演出操作ボタン３２は、押圧操作される構成であったが、レバーをなし、側方へ倒して操作される構成であってもよい。
【００６３】
（７）上記実施形態では、操作パネル部３０Ｓは、上方を向いていたが、例えば前方を向いていたり、左右の一方を向いていてもよい。
【００６４】
（８）上記実施形態では、カバープレート３８の上面と貸出操作ユニット４３の上面４３Ｕとが面一であったが、面一でなくてもよい。具体的には、貸出操作ユニット４３の上面４３Ｕがカバープレート３８の上面より上方に位置していてもよいし、図１３に示すように下方に位置していてもよい。
【００６５】
（９）上記実施形態では、カバープレート３８と演出操作ユニット４０とが、演出操作ユニット４０と受容ケース３９とをネジで締結することで固定されていたが、例えば、カバープレート３８と演出操作ユニット４０とが直接ネジ止めされたり、接着剤や両面テープ等により固定された構成であってもよい。
【符号の説明】
【００６６】
１０    パチンコ遊技機
１３    球受け皿部
１３Ａ    第１収容凹部
１３Ｂ    第２収容凹部
１３Ｈ    皿本体部（ベース部材）
３０Ｓ    操作パネル部
３２    演出操作ボタン（第１操作部）
３４    貸出操作ボタン
３８    カバープレート（カバー部材、上面プレート）
３８Ａ    第１ユニット受容孔
３８Ｂ    第２ユニット受容孔
３９    受容ケース
４０    演出操作ユニット（第１操作ユニット）
４０Ｈ    フランジ部
４０Ｓ    センサ（第１検出部）
４３    貸出操作ユニット（第２操作ユニット）
４３Ｄ    段差部
４３Ｈ    側方張出片（突出部）
４３Ｓ    センサ（第２検出部）
【図１】
0006043908.tif 000002
【図２】
0006043908.tif 000003
【図３】
0006043908.tif 000004
【図４】
0006043908.tif 000005
【図５】
0006043908.tif 000006
【図６】
0006043908.tif 000007
【図７】
0006043908.tif 000008
【図８】
0006043908.tif 000009
【図９】
0006043908.tif 000010
【図１０】
0006043908.tif 000011
【図１１】
0006043908.tif 000012
【図１２】
0006043908.tif 000013
【図１３】
0006043908.tif 000014